(57)【要約】  ランプアセンブリもしくはフロアランプなどの照明器具、傘、又は平面状もしくはシート状の類似の発光表面は、発光表面を選択的に曲げるための形状合わせ機構を含む。凸状プロファイルは、光を拡散させることになり、一方凹状プロファイルは、光を集めることになり、表面は、どちらの方向にも曲率半径５インチ（５”）以下まで形状合わせすることができることを目的としている。光パネル部分は、同じ色であってもよく、又は異なる色から作られるとき光の異なる混合をもたらすことになる異なる色であってもよい。【選択図】  図１
2013528897.tif 000002
【特許請求の範囲】
【請求項１】
可撓性表面と、
前記表面に取り付けられた固体発光デバイスであって、前記発光デバイスが少なくとも第１及び第２のパネル部分を含み、前記第１のパネル部分が形状合わせ可能である、固体発光デバイスと、
前記第１及び第２のパネル部分の少なくとも１つを曲げるための形状合わせ機構と
を備える照明器具。
【請求項２】
前記形状合わせ機構が前記第１のパネル部分を平面状形状合わせ又は弓状形状合わせの１つに選択的に曲げる、請求項１記載の照明器具。
【請求項３】
前記形状合わせ機構が前記第１のパネル部分を第１の弓状形状合わせから、前記第１の弓状形状合わせよりも大きな湾曲度を有する第２の弓状形状合わせに選択的に曲げる、請求項１記載の照明器具。
【請求項４】
前記第１及び第２の固体発光デバイスの１つが発光ダイオード（ＬＥＤ）を含む、請求項１記載の照明器具。
【請求項５】
前記ＬＥＤが半透明筐体で囲まれた前記第１のパネル部分に複数ＬＥＤを含む、請求項４記載の照明器具。
【請求項６】
前記第１のパネル部分が前記第２のパネル部分に対して形状合わせされる、請求項１記載の照明器具。
【請求項７】
光をそれのエッジから向けるために前記第１のパネル部分の少なくとも一部分を覆っている薄いディフューザーをさらに含む、請求項１記載の照明器具。
【請求項８】
前記第１及び第２の固体発光デバイスが有機発光デバイス（ＯＬＥＤ）である、請求項１記載の照明器具。
【請求項９】
前記形状合わせ機構が前記第１の発光デバイスの湾曲を選択的に変更するためのねじ付き部材を含む、請求項１記載の照明器具。
【請求項１０】
前記可撓性表面が細長く、前記形状合わせ機構が中央領域から延在する第１及び第２のアームを含み、前記アームが遠位端で前記可撓性表面に固定され、前記可撓性表面の湾曲を変更するために互いの方へかつ互いから離れるように選択的に促される、請求項９記載の照明器具。
【請求項１１】
前記第１のパネル部分のために全体的に球面形状の支持材をさらに含む、請求項１記載の照明器具。
【請求項１２】
前記第１の色パネル部分がそれの両側に配置された第２のパネル部分間の中央に位置する、請求項１１記載の照明器具。
【請求項１３】
前記第１の色パネル部分が青色光を放出し、前記第２のパネル部分が黄色光を放出する、請求項１２記載の照明器具。
【請求項１４】
可撓性表面と、
前記表面に取り付けられた形状合わせ可能な有機発光デバイス（ＯＬＥＤ）と、
前記可撓性表面の第１の部分を支持する１つ以上の部材と、
前記可撓性表面の第２の部分を支持し、前記第２の部分を前記第１の部分に対して選択的に動かし、湾曲を前記ＯＬＥＤに与える調整可能な部材と
を備える照明器具。
【請求項１５】
前記調整可能な部材が前記可撓性表面の中央領域に位置する、請求項１４記載の照明器具。
【請求項１６】
１つ以上の部材が前記ＯＬＥＤの周囲を取り付けるための複数支持材を含む、請求項１５記載の照明器具。
【請求項１７】
前記調整可能な部材が正及び負の曲率を通じて前記可撓性表面の前記中央領域を選択的に前進させ、後退させる、請求項１６記載の照明器具。
【請求項１８】
前記可撓性表面がＯＬＥＤの部分がその中でそれの内側パネルに取り付けられる傘である、請求項１５記載の照明器具。
【請求項１９】
前記ＯＬＥＤがバッテリーで電力を供給される、請求項１４記載の照明器具。
【請求項２０】
前記可撓性表面が所定の非平面状形状合わせを有し、前記１つ以上の部材及び前記調整可能な部材が全体的にｘ形状の構成で枢動可能に接続される、請求項１４記載の照明器具。
【請求項２１】
少なくとも第１及び第２のＯＬＥＤデバイスであって、前記第１のＯＬＥＤデバイスが約２５００Ｋ〜約３５００Ｋの色温度を有し、前記第２のＯＬＥＤデバイスが約５０００Ｋ以上の色温度を有する、少なくとも第１及び第２のＯＬＥＤデバイスと、
前記ＯＬＥＤを駆動し、光強度配光及び色混合の制御を最大にするためのＤＣドライバーと
を備える照明器具。
【請求項２２】
前記ＤＣドライバーが前記ＯＬＥＤデバイスを直列に駆動する、請求項２１記載の照明器具。
【請求項２３】
青色ＯＬＥＤの電力を調節することによって色を制御することをさらに含む、請求項２１記載の照明器具。
【請求項２４】
前記色温度が約３５００Ｋ〜約６２００Ｋである、請求項２１記載の照明器具。
【請求項２５】
前記電力が約４ワット未満である、請求項２１記載の照明器具。
【請求項２６】
印加される前記電力が＞２０ｍｗ／ｉｎ2である、請求項２１記載の照明器具。
【請求項２７】
前記第１及び第２のＯＬＥＤデバイスの１つが青色光であり、前記第１及び第２のＯＬＥＤデバイスのもう１つが黄色光である、請求項２１記載の照明器具。
【請求項２８】
前記電力がＯＬＥＤデバイス当たり約１ワット未満である、請求項２１記載の照明器具。
【発明の詳細な説明】
【技術分野】
【０００１】
この開示は、照明器具に関するものであり、より詳しくは固体光源、特に有機発光デバイス（ＯＬＥＤ）などの可撓性表面の光源を使用する照明器具に関する。具体的には、発光デバイス（ＬＥＤ）又はＯＬＥＤなどの固体光源の使用は、広範囲の異なる用途を提示する。
【背景技術】
【０００２】
ＬＥＤ及びＯＬＥＤの両方の光源についての最近の開発は、実を結んだ。これらの構造のルーメン出力が改善されたので、新しい製品及び市場を開発する必要性が継続してある。光出力の制御は、色均一性及び色制御と同様に重要な考慮事項である。さらに、固体光源の選択された態様を有利に使用することができる簡略化した構造及び用途は、機能及びコストに関して新たな課題を提起する。その結果、これらの設計考慮事項を異なるランプアセンブリに組み込む必要性が存在する。
【先行技術文献】
【特許文献】
【０００３】
【特許文献１】米国特許第６２７０２３０号
【発明の概要】
【課題を解決するための手段】
【０００４】
照明器具は、固体発光デバイスがその上に取り付けられる可撓性表面を含む。一実施形態では、発光デバイスは、少なくとも第１及び第２のパネル部分を含む。形状合わせ機構（コンフォーミング機構）は、第１及び第２のパネル部分が互いに合致するように第１のパネル部分と関連付けられる。
【０００５】
好ましい実施形態では、第１のパネル部分は、曲率半径５インチ（５”）以下まで形状合わせ又は曲げることができる。
【０００６】
例となる一実施形態では、第１及び第２の固体発光デバイスは、半透明筐体で囲まれた発光ダイオード、より好ましくは複数ＬＥＤを含む。
【０００７】
別の配置では、第１及び第２の固体発光デバイスは、ＯＬＥＤを含む。
【０００８】
好ましい形状合わせ機構は、少なくとも第１の発光デバイスの湾曲を選択的に変更するためのねじ付き部材を含む。
【０００９】
第１の色パネル部分は、両端部の異なる色の第２のパネル部分間の中央に位置する。一配置では、第１の色パネル部分は、青色光を放出し、第２のパネルは、黄色光を放出する。
【００１０】
可撓性表面は、ＯＬＥＤ部分がその中で傘の内側パネルに取り付けられる傘であってもよい。
【００１１】
別の照明器具では、可撓性表面の周囲部分が、支持され、調整可能な部材が、正及び負の曲率を通じて中央領域を周囲に対して選択的に前進させ、後退させるために可撓性表面の中央部分を支持する。
【００１２】
この開示の主要な便益は、光指向能力を備えるデバイスの提供である。
【００１３】
本開示の別の特徴は、可撓性表面から放出される色を混合する能力に関係する。
【００１４】
なお別の利点は、可撓性表面から放出される光を集中させる又は拡散させる能力にある。
【００１５】
本開示のなお他の便益及び利点は、次の詳細な説明を読み、理解することからより明らかになろう。
【図面の簡単な説明】
【００１６】
【図１】１つ以上の可撓性光源を組み込む照明器具又はランプアセンブリの斜視図である。
【図２】図１の照明器具の上面斜視図である。
【図３】コンフォーマルランプの凹状湾曲を例示する図２に似た斜視図である。
【図４】下側から全体的に例示される図３のランプの斜視図である。
【図５】コンフォーマルランプの凸状湾曲を例示する図４に似た図である。
【図６】形状合わせ機構の拡大図である。
【図７】ＬＥＤを使用するコンフォーマルランプの斜視図である。
【図８】青色ＯＬＥＤの図である。
【図９】図７のランプのＬＥＤ部分の拡大図である。
【図１０】同じ色の第１及び第２の可撓性ランプ部分が凹状湾曲で示される状態の斜視図である。
【図１１】天井などの静止構造から吊るされた大型パネルＯＬＥＤの斜視図である。
【図１２】図１１の大型パネルＯＬＥＤを凹状構成で示す図である。
【図１３】大型パネルＯＬＥＤを凸状構成で示す図である。
【図１４】可撓性発光パネルを組み込む傘の正面図である。
【図１５】発光パネルの場所をより詳しく例示する図１４の開いた傘の底面図である。
【図１６】支持脚によって選択的に変更できる所定の湾曲を有する代替自立ランプアセンブリの斜視図である。
【図１７】ＯＬＥＤ大型パネルを使用するフロアランプの斜視図である。
【図１８】別の好ましい実施形態でのＯＬＥＤパネルの平面図である。
【図１９】ディフューザー板がＯＬＥＤパネルを覆って受け取られた状態の図１８のＯＬＥＤパネルの平面図である。
【図２０】図１８及び１９のＯＬＥＤパネル及びディフューザー板アセンブリの正面図である。
【図２１】図１８〜２０のＯＬＥＤパネル及びディフューザー板アセンブリを用いる卓上ランプからの光出力を例示する図である。
【図２２】ＯＬＥＤパネルの様々な場所の平面図である。
【図２３】ＯＬＥＤパネルの様々な場所の平面図である。
【図２４】ＯＬＥＤパネルの様々な場所の平面図である。
【図２５】光がパネルの少なくとも一部分を明るくするためにパイプを通して中に運ばれた状態のＯＬＥＤパネルの平面図である。
【図２６】光がパネルの少なくとも一部分を明るくするためにパイプを通して中に運ばれた状態のＯＬＥＤパネルの平面図である。
【図２７】球面形状表面に配置された可撓性ＯＬＥＤパネルを示す図である。
【図２８】調整可能な反射体を備える図２７の照明器具を例示する図である。
【発明を実施するための形態】
【００１７】
図１〜６は、照明器具又はランプアセンブリ１００の第１の好ましい実施形態を例示する。この例となる実施形態では、ランプアセンブリ１００は、オン／オフスイッチ１０４を有する剛体ベース１０２を含み、又はオン／オフスイッチはまた、電力供給コード１０６に組み込まれる可能性もある。ベースから延在しているのは、支持材又はネック１０８であり、それは好ましい実施形態では、全体的に細長く、ベースの上に垂直に延在する剛構造であり、上側端部１１０で向きを変える。上側端部は、それ自体の重量及びそれの定格負荷に関して剛性がある薄い材料で形成された細長いパネル１２０を支持するが、しかしそのパネルは、外力を加えることで形状合わせできる。パネルは好ましくは、固体発光デバイス１２２を保持する。図１〜６の例示する実施形態では、発光デバイスは、小面積の照明、すなわち５ルクスよりも大きい照度を持つＯＬＥＤパネルなどの可撓性固体パネルを使用することによって４ワットデバイス当たり１００平方フィート（１００ｆｔ2）程度の照明を目的としている。複数の可撓性ＯＬＥＤパネル部分１２４、１２６、１２８が、この実施形態で示される。これらのパネル部分の各々は、ＯＬＥＤデバイスを含み、各パネルは、例えば３つ以下のパネルがある場合には直列に接続して電力を供給でき、又は個別に、もしくは４つ以上のＯＬＥＤ部分から成るパネルについては直列／並列モードで接続して電力を供給できる第１の電極及び第２の電極を含む。例示される実施形態では、第１及び第３のパネル部分１２４、１２８は好ましくは、第１の色の光、例えば黄色光を放出し、一方第２の又は中央パネル部分１２６は、青色光などの異なる色の光を放出する。可撓性動作を有し、約５インチ（５ｉｎ）程度の曲率半径を提供するために、アスペクト比は、５００μｍ未満の厚さに対して１．０〜１．８である。３つのＯＬＥＤパネル部分から成る全照明パネルは、長さが約１８インチ（１８”）及び幅が約４インチ（４”）程度であってもよい。それの可撓性動作に起因して、厚さは、デバイスにひびが入る可能性を低減するために１平方メートル（１ｍ2）当たり１ミリメートル（１ｍｍ）未満でなければならない。さらに、目に見える分化を低減するために、デバイスは、５０％アルミナ、２０％二酸化チタン（ＴｉＯ２）及び３０％（ＬａＭｇ）３（ＰＯ４）２材料などのディフューザー材料で覆われてもよく、又はより好ましい混合物は、二酸化チタン／アルミナ粒子である。
【００１８】
青色発光パネル部分１２６は好ましくは、中央領域に位置して中央に高発色照明エリアを形成する。さらに、青色デバイスの光レベルは、ＣＣＴ制御、すなわち約３，０００Ｋ〜７，０００Ｋまでの色制御を可能にする。発光デバイス１２２のそれと反対側のパネル１２０の表面には、形状合わせ機構１４０が提供される。「形状合わせ」とは、輪郭が滑らかで概ね連続した形状、円弧又は湾曲をパネル部分に与えることを意味する。形状合わせは、例えば「屈曲」（鋭いしわ、角度、又は折り目をパネル部分に与えていると見なされる）とは対照的である。形状合わせ機構は、パネルの長さにわたって曲がりを与え、例えば第１及び第２のアーム１４２、１４４は、中央アクチュエータ１４６から延在する。各アーム１４２、１４４の外側又は遠位端は、ピン１４８を用いてパネルに枢動可能に取り付けられ、一方アームの近位又は内側端は、ウォームギヤ１５２と係合するスパーギヤ１５０を含む。ウォームギヤの選択的回転は、回転運動をスパーギヤに与え、それは、作動又は回転に応答して中央のウォームギヤの回転軸の方へ及びそれから離れるように動かされる。作動取っ手又は鍵１５４によるウォームギヤ１５２の回転方向は、第１及び第２のアームを伸ばし又は縮めて湾曲を細長いパネルに与える。別法として、この回転の手動制御よりもむしろ、モーターが、そのような作動を細長い可撓性パネルに与えるために使用されてもよい。
【００１９】
図１〜６を継続して参照し、加えて図７〜９の別の好ましい実施形態を参照すると、同じ部品の多くは、同じ参照数字によって識別されることになり、差が生じる場合には、新しい参照数字が、使用される。例えば、第１及び第３のパネル部分１２４、１２８は、好ましくは青色ＯＬＥＤである中央パネル部分から外側になお配置される。しかしながら、第１及び第３のパネル部分は、パネル部分にわたって間隔をあけて配置された個々の発光デバイス又はＬＥＤから形成されてもよく、個々のＬＥＤ１６０は、光を放出し、その光は次いで、カバー又はドーム１６２によって拡散される。ドーム又は半透明／透明カバーは、個々の点光源としてよりもむしろドームの全表面にわたって光を拡散させ、放出するための蛍光体などのコーティングを有する。この場合もやはり、第１及び第３のパネル部分１２４、１２８は、同じ色であってもよく、それは好ましい配置では、第２の又は中央パネル部分１２６と異なる。図１〜６か又は図７〜９の実施形態に関して、アクチュエータの回転方向は、パネル１２０、特にそれの外翼部分が平面状、凸状、又は凹状形状に合致させることができるかどうかを制御することになることもまた認識されよう。図３及び４で示す凹状プロファイルは、光を遠く離れた場所の方へ内側に集める傾向があり、一方図５の凸状プロファイルは、光を外側に拡散させる。好ましくは、翼は、両方向に曲率半径５インチ（５”）以下まで形状合わせできる。
【００２０】
その上、中央パネルと異なる細長い端部パネルに異なる色の付いた光源を使用すると、色混合を制御することができる。例えば、中央パネル部分１２６の青色光源並びに第１及び第３の光パネル部分１２４、１２８の黄色光源は、パネルの湾曲度に基づいて異なって混合することになる。
【００２１】
図１０は、可撓性照明器具又はランプアセンブリのなお別の実施形態である。この場合もやはり、類似の参照数字は、類似の部品を参照することになる。主要な差異は、異なる色の第２のパネル部分の除去である。それ故に、この特定の配置では、第１及び第２の端部パネル部分１６４、１６６は、好ましくは同じ色であり、個々の固体発光デバイスと関連する周囲の枠１６８によって分離される。それにもかかわらず、形状合わせ機構１４０を用いて凸状又は凹状形状を細長いパネル１２０に与える能力は、光を図１０で示すような凹状プロファイルで内側に集める、又はもし凸状プロファイル（図５に似た）が採用されるならば光を外側に拡散させる能力を可能にする。
【００２２】
図１１〜１３は、天井２０２などの固定構造から吊るされて示されるＯＬＥＤ大型パネル２００を例示する。この場合もやはり、固体発光デバイスは、大型パネルであり、ＯＬＥＤパネル２００の長方形構成などのアレイ状に一緒に敷き詰められた又は結合された複数ＯＬＥＤパネルから成ってもよい。ここで、異なるパネル部分は、同じ色であってもよく又は互い違いの色であってもよい。この配置では、パネルの１つの部分は、堅く固定され、ここでは、第１の支持材又は支持部材２０４を用いて吊られている。これらの第１の支持部材２０４は、好ましくは無調整式である。第１の支持部材は、剛体部材、又はそれらの全長まで延在して天井から吊るされたＯＬＥＤの重量を保持するフレキシブルワイヤであってもよい。この特定の配置では、第１の支持部材は、可撓性表面の第１の部分、すなわちＯＬＥＤパネルの周囲部分を支持する。第２の又は調整可能な部材（複数可）２０６は、可撓性表面の第２の部分を支持する。ここでは、第２の調整可能な部材２０６は、天井２０２と可撓性表面の中央部分との間に延在する。このようにして、調整可能な支持材（複数可）２０６の選択された伸長及び収縮は、調整可能な支持材が縮められるときはＯＬＥＤパネルを凹面形状（図１２）に形状合わせさせる又は調整可能な支持材が伸ばされるときは図１３で示すような凸面形状に形状合わせさせる。それ故に、図１１〜１３の実施形態は、単一の凸面又は凹面形状の比較的簡単な構成を例示するけれども、当業者には、無調整式支持部材及び／又は調整可能な支持部材の異なる配置が、代替の又はより複雑な幾何学的形状の達成を可能にすることになると理解されよう。
【００２３】
図１４及び１５の実施形態は、傘２１０を示す。取っ手２１２は、傘表面のセグメント２１６に配置される個々の可撓性光パネル部分又は光表面２１４に電力を供給するために使用されるバッテリー又は同様の携帯電源デバイスを含んでもよい。特に、可撓性光パネル部分は、傘の内側部分に位置し、ここでは傘の内側の一つおきの可撓性セグメントに位置しているように示される。もちろん、これが実情である必要はなく、より多数のもしくはより少数のセグメント又は傘セグメントの部分が、本開示の範囲及び目的から逸脱することなく使用されてもよい。
【００２４】
図１６では、パネル２３０は、パネルの１つ以上の表面から光を放出するためにＯＬＥＤなどの固体発光デバイス２３２を含む。この配置では、パネルは、所定の湾曲を有し、すなわち図１６で例示するように床から見たとき、パネルは、全体的に凸状の輪郭を有する。調整可能な支持材２３４は、パネルの湾曲を変更するために提供される。例えば、第１及び第２の調整可能な支持部材２３６、２３８は、中央領域２４０で一緒に枢動可能に結合されて調整可能な全体的に「ｘ形状の」支持材を形成する。支持部材２３６、２３８の各々の第１の又は下側端部２４２は、スロット２４６を含むベース２４４で受け取られ、好ましくは下側端部２４２の各々について１つのスロットがあり、そのベースでは各スロットが、分割され、間隔のあいたストップ２４８を有し、そのストップは、各脚をベースに対して個別に移動させ、新しい又は異なるストップと係合させることを可能にする。これは、発光表面２３２を敷き詰めることを可能にし、またパネルの湾曲を変更することも可能にする。例えば、もし下側端部２４２間の寸法が、増加すると、そのとき第２の又は上側端部２５０での曲率は、同様に増加することになり、スパニング部材２５２は、同様に離れて広がることになる。これは、パネルの湾曲を低減する。同じような方法で、第１の端部２４２が互いにより近くに寄せられると、そのとき第２の端部２５０は同様に、一緒により近くに寄せられ、パネルの所定の形状合わせは、湾曲が増大する、すなわちより凸状になることを可能にする。もしそれぞれの側の脚の１つが、ベースの同じストップで維持され、一方もう１つの脚の下側端部の位置が、変更されるならば、パネルの湾曲だけでなく、傾斜又は角度も変化する。その結果、発光表面の輪郭及び角度もまた、変更されることになる。
【００２５】
図１７は、ベース２６２、オン／オフスイッチ２６４、電力供給コード２６６、及び上側端部２７０にわたるベントを含む細長い支持材２６８を含むフロアランプ２６０を明示する。より大きなパネル２８０は、個々の光源又はＯＬＥＤデバイスのより大きなマトリクスを使用する可能性が高いことになる。加えて、もしモーターが、パネル及びそれの発光表面の成形性を制御するために実装されるならば、遠隔制御機器２８４は、モーターを制御し、同様にランプのスイッチを入れたり切ったりするために使用される可能性がある。さらに、遠隔制御機器は、ランプの調光のために使用される可能性もある。
【００２６】
例となる卓上又は携帯用ランプは、図１〜６で示すように、約３平方インチの発光表面積を有する青色ＯＬＥＤ及び青色ＯＬＥＤの両側に配置される２つの長方形黄色ＯＬＥＤを含み、各黄色ＯＬＥＤは、表面積が約３〜６平方インチである３つの発光表面積を有し、各々は総計約１８平方インチになる。このランプの全電力は、２．５Ｗ未満であった。色調整は、約３フィート未満の距離にあるスポットへの青色ＯＬＥＤの電力レベルを約２０％の電力から１００１００％の電力に合わせる又は調整することによって３５００Ｋ〜５６００Ｋまで達成された。照明器具は、それの最大効率において約５０〜１５０ルーメンを放出する。適宜、アウトカップリング膜が、光を前方向に集中させるために使用される可能性があり、１つの好ましい種類のアウトカップリング膜は、商標名ＢＥＦ２又はＢＥＦ３の下で３Ｍによって販売される。例となる実施形態では、ＯＬＥＤデバイスは、ＤＣ電力供給装置で直列に駆動されたけれども、デバイスはまた、個別に駆動される可能性もあることが理解されよう。ＯＬＥＤデバイスの並列駆動は、典型的には好ましくない。
【００２７】
図１８〜２１で示すのは、前の実施形態の特徴の多くを有する可撓性照明器具の別の好ましい実施形態である。この配置では、照明器具３００は、細長く、薄く、全体的に長方形の大面積パネル３０２（例えば、１０ｃｍ×１００ｃｍ、又は２０ｃｍ×１００ｃｍ程度の）を含む。先の実施形態で述べたのと同じように、ＯＬＥＤ３０４、３０６、３０８は、単一色又は異なる色であってもよく、ＯＬＥＤパネル３０２及び付随する支持構造３１０を薄層として形成することによって、アセンブリ全体の可撓性が、達成できる。ここで、ディフューザー板３１２は、好ましくはＯＬＥＤを覆って狭い間隔をあけて延在し、ＯＬＥＤから周囲エッジ３１４に沿って支持される。ほんの一例として、ディフューザー板３１２は、２ｍｍ未満の厚さを有し、約４ｍｍ〜１０ｍｍの寸法だけＯＬＥＤから間隔をあけられている。他方で、他の実施形態では、ディフューザー板は、２ｍｍよりも大きい厚さを有し、ＯＬＥＤパネルと直接接触してもよいが、しかしながらこの配置は、ほんの少し効率が低い。どちらの場合にも、ディフューザー板は、図２０及び２１で光線追跡３１６が表すようなエッジ照明を提供する。
【００２８】
図２２〜２６は、パネルの発光表面でのＯＬＥＤの代替場所などの上述の概念の変形形態を開示する。図２２では、全体的に長方形のパネルの端部分３３０、３３２は、どんなＯＬＥＤも含まず、その代わりに複数ＯＬＥＤ３３４は、パネルの幾何学的形状の中央部分に沿って配置される。同様に、図２３の実施形態もまた、単一の大型ＯＬＥＤ又はパネルの発光部分３３６を中央領域に置き、端部分３４０、３４２は、どんな発光表面も欠いている。図２４の例となる実施形態では、しかしながら、中央部分３５０は、発光部材を含まず、その代わりに周囲部分が、２つのエッジに隣接する細長い発光領域３５２、３５４及び発光端部領域３５６、３５８を含む。図２５は、ディフューザー３６０を含む可撓性パネルの面積のすべて又はいくらかを明るくする関連光ファイバー（図示せず）からの追加の光を含むことによって図２４の配置に付け足す。同様に、図２６の例となる実施形態は、光を好ましい場所に向けるのに役立つために又は可撓性パネル全体にわたってより均一な光を生み出すためにレンズ３７０又はガラスなどの高屈折率材料を使用する。
【００２９】
図２７では、全体的に球面形状の表面４００は、それの一部分に可撓性ＯＬＥＤパネル４０２を受け取る。これは、ＯＬＥＤパネルが２つ以上の方向で全体的に可撓性であることを例示する。さらに、球面形状表面４００は、パネルからの光出力を変えるために選択的に変更されて（図２８）もよい。加えて、選択的に可変の反射体表面（複数可）４０４が同様に、球面形状表面４００を変えることによって又は表面の形状を変えるために代替機構を使用することによって変更されてもよい。球面形状の支持表面４００は、遠隔制御機器を用いて能動的に変えられる可能性もあるとまた熟考される。
【００３０】
本開示は、好ましい実施形態に関して述べられた。明らかに、変更形態、代替形態、及び関連する便益が、当業者によって熟考されてもよい。例えば、提案した解決策は、電気的フィードスルー開口を使用する大面積ＯＬＥＤデバイスで特定の使途を見いだすけれども、選択された態様はまた、一般にＯＬＥＤデバイスで用途を見いだすこともできる。可撓性照明器具のための構造材料は、薄い延性金属、高分子又はエラストマー材料とすることができる。別法として、構造材料は、プラスチック複合材料、すなわち大型パネル照明器具の熱放散を確実にするのに十分な熱伝導率（＞１Ｗ／ｍＫ）を有する金属／カーボン強化高分子複合材料であってもよい。好ましいカーボンは、５０％以下の充填率を持つ、カーボンナノチューブ、グラフェン、酸化グラフェン又はグラファイトとすることができる。典型的な金属は、Ａｌ、Ｓｎ、及びＮｉなどとすることができる。主題の開示は、上で述べた特定の例に限定されるべきでなく、しかしその代わりに次のクレームを通じて限定されるべきである。
【符号の説明】
【００３１】
１００  照明器具又はランプアセンブリ
１０２  剛体ベース
１０４  オン／オフスイッチ
１０６  電力供給コード
１０８  支持材又はネック
１１０  上側端部
１２０  細長いパネル
１２２  固体発光デバイス
１２４  可撓性ＯＬＥＤパネル部分
１２６  可撓性ＯＬＥＤパネル部分
１２８  可撓性ＯＬＥＤパネル部分
１４０  形状合わせ機構
１４２  第１のアーム
１４４  第２のアーム
１４６  中央アクチュエータ
１４８  ピン
１５０  スパーギヤ
１５２  ウォームギヤ
１５４  取っ手又は鍵
１６０  個々のＬＥＤ
１６２  カバー又はドーム
１６４  第１の端部パネル部分
１６６  第２の端部パネル部分
１６８  周囲の枠
２００  ＯＬＥＤ大型パネル
２０２  天井
２０４  第１の支持材又は支持部材
２０６  第２の又は調整可能な部材
２１０  傘
２１２  取っ手
２１４  可撓性光パネル部分又は光表面
２１６  セグメント
２３０  パネル
２３２  固体発光デバイス
２３４  調整可能な支持材
２３６  第１の調整可能な支持部材
２３８  第２の調整可能な支持部材
２４０  中央領域
２４２  第１の又は下側端部
２４４  ベース
２４６  スロット
２４８  分割され、間隔のあいたストップ
２５０  第２の又は上側端部
２５２  スパニング部材
２６０  フロアランプ
２６２  ベース
２６４  オン／オフスイッチ
２６６  電力供給コード
２６８  細長い支持材
２７０  上側端部
２８０  より大きなパネル
２８４  遠隔制御機器
３００  照明器具
３０２  長方形の大面積パネル、ＯＬＥＤパネル
３０４  ＯＬＥＤ
３０６  ＯＬＥＤ
３０８  ＯＬＥＤ
３１０  支持構造
３１２  ディフューザー板
３１４  周囲エッジ
３１６  光線追跡
３３０  パネルの端部分
３３２  パネルの端部分
３３４  複数ＯＬＥＤ
３３６  単一の大型ＯＬＥＤ又はパネルの発光部分
３４０  パネルの端部分
３４２  パネルの端部分
３５０  中央部分
３５２  細長い発光領域
３５４  細長い発光領域
３５６  発光端部領域
３５８  発光端部領域
３６０  ディフューザー
３７０  レンズ
４００  球面形状表面
４０２  可撓性ＯＬＥＤパネル
４０４  選択的に可変の反射体表面
【図１】
2013528897.tif 000003
【図２】
2013528897.tif 000004
【図３】
2013528897.tif 000005
【図４】
2013528897.tif 000006
【図５】
2013528897.tif 000007
【図６】
2013528897.tif 000008
【図７】
2013528897.tif 000009
【図８】
2013528897.tif 000010
【図９】
2013528897.tif 000011
【図１０】
2013528897.tif 000012
【図１１】
2013528897.tif 000013
【図１２】
2013528897.tif 000014
【図１３】
2013528897.tif 000015
【図１４】
2013528897.tif 000016
【図１５】
2013528897.tif 000017
【図１６】
2013528897.tif 000018
【図１７】
2013528897.tif 000019
【図１８】
2013528897.tif 000020
【図１９】
2013528897.tif 000021
【図２０】
2013528897.tif 000022
【図２１】
2013528897.tif 000023
【図２２】
2013528897.tif 000024
【図２３】
2013528897.tif 000025
【図２４】
2013528897.tif 000026
【図２５】
2013528897.tif 000027
【図２６】
2013528897.tif 000028
【図２７】
2013528897.tif 000029
【図２８】
2013528897.tif 000030
【国際調査報告】
2013528897.tif 000031
2013528897.tif 000032
2013528897.tif 000033
2013528897.tif 000034
2013528897.tif 000035
2013528897.tif 000036